(57)【要約】【課題】映像信号と音声信号とを出力する端子が１組しかないプレイヤを用いて、映像信号と音声信号とを複数のテレビ受像機のうちの１台に切り換えて出力するとき、複数のテレビ受像機との間におけるケーブルの接続を変更することなく、ＤＶＤを再生した信号を所望のテレビ受像機に送出する。【解決手段】映像音声再生装置１は、信号の出力に使用する出力端子群Ｇ１〜Ｇ４の指示がユーザから入力される端子群指示手段１６と、ユーザによって指示された出力端子群を示す端子群指示信号Ｃｏｎを生成する信号生成手段１８とを備え、信号切換装置２は、信号切換手段２２を制御することによって、端子群指示信号Ｃｏｎによって指示された出力端子群に、入力された信号を導く出力制御手段２１を備えている。【選択図】  図１
2006338709.tif 000002
【特許請求の範囲】
【請求項１】
それぞれが独立した筐体を有する映像音声再生装置と信号切換装置とを備え、
映像音声再生装置は、
情報記録媒体に記録された映像音声情報を再生し、アナログ映像信号とアナログ音声信号とデジタル音声信号とを出力する再生手段と、
アナログ映像信号を筐体の外部に出力する映像出力端子と、
アナログ音声信号を筐体の外部に出力する音声出力端子と、
デジタル音声信号を筐体の外部に出力するデジタル出力端子とを有し、
信号切換装置は、
アナログ映像信号が入力される映像入力端子と、
アナログ音声信号が入力される音声入力端子と、
複数の出力端子群と、
信号切換手段とを有し、
複数の出力端子群のそれぞれは、アナログ映像信号を出力する映像出力端子とアナログ音声信号を出力する音声出力端子とを有し、
信号切換手段は、映像入力端子に入力されたアナログ映像信号と音声入力端子に入力されたアナログ音声信号との出力に使用する出力端子群を切り換える映像音声システムにおいて、
映像音声再生装置は、
アナログ映像信号とアナログ音声信号との出力に使用する出力端子群の指示がユーザから入力される端子群指示手段と、
ユーザによって指示された出力端子群を示す端子群指示信号を生成する信号生成手段と、
デジタル音声信号の信号経路に設けられ、デジタル出力端子に導かれるデジタル信号をデジタル音声信号と端子群指示信号とに切り換えるデジタル出力切換スイッチと、
ユーザが出力端子群の指示を入力するときに用いる設定画面を表示装置に表示する表示手段とを備え、
信号切換装置の使用を指示されたときには端子群指示信号をデジタル出力端子に導き、信号切換装置を使用しないことを指示されたときにはデジタル音声信号をデジタル出力端子に導き、
設定画面においては、信号切換装置を使用する状態となるときには信号切換装置を使用することを指示するボタンと信号切換装置を使用しないことを指示するボタンとが表示されるとともに、複数の出力端子群のそれぞれに対応するボタンが選択肢として表示され、信号切換装置を使用しない状態となるときには信号切換装置を使用することを指示するボタンと信号切換装置を使用しないことを指示するボタンとが表示され、複数の出力端子群のそれぞれに対応するボタンは非表示となり、
信号切換装置は、
デジタル出力端子から送出されるデジタル信号が入力されるデジタル入力端子と、
デジタル入力端子に入力された端子群指示信号に従って信号切換手段を制御することにより、端子群指示信号によって指示された出力端子群に、映像入力端子に入力されたアナログ映像信号と音声入力端子に入力されたアナログ音声信号とを導く出力制御手段を備えたことを特徴とする映像音声システム。
【請求項２】
それぞれが独立した筐体を有する映像音声再生装置と信号切換装置とを備え、
映像音声再生装置は、
情報記録媒体に記録された映像音声情報を再生し、アナログ映像信号とアナログ音声信号とを出力する再生手段と、
アナログ映像信号を筐体の外部に出力する映像出力端子と、
アナログ音声信号を筐体の外部に出力する音声出力端子とを有し、
信号切換装置は、
アナログ映像信号が入力される映像入力端子と、
アナログ音声信号が入力される音声入力端子と、
複数の出力端子群と、
信号切換手段とを有し、
複数の出力端子群のそれぞれは、アナログ映像信号を出力する映像出力端子とアナログ音声信号を出力する音声出力端子とを有し、
信号切換手段は、映像入力端子に入力されたアナログ映像信号と音声入力端子に入力されたアナログ音声信号との出力に使用する出力端子群を切り換える映像音声システムにおいて、
映像音声再生装置は、
アナログ映像信号とアナログ音声信号との出力に使用する出力端子群の指示がユーザから入力される端子群指示手段と、
ユーザによって指示された出力端子群を示す端子群指示信号を生成する信号生成手段とを備え、
信号切換装置は、
信号切換手段を制御することによって、端子群指示信号によって指示された出力端子群に、映像入力端子に入力されたアナログ映像信号と音声入力端子に入力されたアナログ音声信号とを導く出力制御手段を備えたことを特徴とする映像音声システム。
【請求項３】
再生手段は、情報記録媒体に記録された映像音声情報を再生するときにはデジタル音声信号を出力し、
映像音声再生装置は、
デジタル音声信号を筐体の外部に出力するデジタル出力端子と、
デジタル音声信号の信号経路に設けられ、デジタル出力端子に導かれるデジタル信号をデジタル音声信号と端子群指示信号とに切り換えるデジタル出力切換スイッチとを備え、  信号切換装置の使用を指示されたときには端子群指示信号をデジタル出力端子に導き、信号切換装置を使用しないことを指示されたときにはデジタル音声信号をデジタル出力端子に導くことを特徴とする請求項２に記載の映像音声システム。
【請求項４】
映像音声再生装置は、
ユーザが出力端子群の指示を入力するときに用いる設定画面を表示装置に表示する表示手段を備えたことを特徴とする請求項２または請求項３に記載の映像音声システム。
【発明の詳細な説明】
【技術分野】
【０００１】
本発明は、それぞれが独立した筐体を有し、情報記録媒体を再生してアナログ映像信号とアナログ音声信号とを筐体の外部に出力する映像音声再生装置と、アナログ映像信号とアナログ音声信号とが導かれ、複数の出力端子群のうちのひとつに、アナログ映像信号とアナログ音声信号とを出力する信号切換装置とを備えた映像音声システムに係り、より詳細には、信号切換装置は映像音声再生装置から出力される信号に従って、アナログ映像信号とアナログ音声信号との出力に使用する出力端子群を切り換える映像音声システムに関する。
【背景技術】
【０００２】
業務的な使用においては、例えば、Ａ〜Ｄの４台のテレビ受像機がある場合に、ＤＶＤプレイヤから出力される映像音声信号を、あるときはＡなるテレビ受像機に、また、別のときではＢなるテレビ受像機に、といったように、切り換えて出力することがある。一方、ＤＶＤプレイヤにおけるコンボジット映像信号の出力端子の数は１つのみであり、アナログ音声信号の出力端子は左右１組のみとなっていることが多い。このため、Ａなるテレビ受像機に信号を出力するときでは、Ａなるテレビ受像機に一方の端子が接続された映像信号用のケーブルの他方の端子をＤＶＤプレイヤの映像信号の出力端子に接続し、Ａなるテレビ受像機に一方の端子が接続された音声信号用のケーブルの他方の端子をＤＶＤプレイヤの音声信号の出力端子に接続している。また、Ｂなるテレビ受像機に信号を出力するときでは、Ｂなるテレビ受像機に一方の端子が接続されたケーブルの他方の端子をＤＶＤプレイヤに接続している。つまり、ＤＶＤプレイヤに接続されるケーブルを、一方の端子がＡなるテレビ受像機に接続されたケーブル、あるいは、一方の端子がＢなるテレビ受像機に接続されたケーブル、といった具合に、ＤＶＤプレイヤに接続するケーブルを、信号を出力したいテレビ受像機からのケーブルに差し換えることによって、信号を出力するテレビ受像機を切り換えている（第１の従来技術とする）。
【０００３】
また、以下に示す技術が提案されている（第２の従来技術とする）。すなわち、この技術は、ネットワークを介して配信される複数のビデオソースを受信して、連続的に再生する装置となっている。このため、複数のデコーダモジュールを設けている。また、複数のデコーダモジュールのうち、指示されたデコーダモジュールの出力を送出する切換スイッチを設けている。そして、再生シナリオに記載された再生情報の中から、連続再生されるビデオソースと、このビデオソースの表示時間を抽出することによって、受信して再生するビデオソースを表示時間順に並べ換えている。そして、複数のデコーダモジュールへのビデオソースの配分と再生スケジュールを決定するとともに、切換スイッチの切り換えスケジュールを決定することによって、複数のビデオソースを連続的に再生するようになっている（例えば、特許文献１参照）。
【０００４】
また、以下に示す技術が提案されている（第３の従来技術とする）。すなわち、この技術は、ケーブルテレビジョンシステム上で放送サービスを模擬するシステムと方法を提供することを目的としている。つまり、番組をリクエストするユーザに応答して、ビデオのような番組を１つ以上ユーザに送るようになっている。このため、物理層チャンネルは、動的にユーザに割り当てられ、リクエストされた番組の各々は、この割り当てられたチャンネルでユーザに送られるようになっている。従って、チャンネルの選択は、ユーザ宅に設けられた機器ではなく、配信側に設けられた一次ハブで行われる。また、この一次ハブではユーザ・プロフィール情報を記憶できるので、ユーザは、必ずしも番組をリクエストする必要がなくなることも開示されている。（例えば、特許文献２参照）。
【特許文献１】特開２００４−１４０５３６号公報
【特許文献２】特開２００２−２５２８４７号公報
【発明の開示】
【発明が解決しようとする課題】
【０００５】
しかしながら、第１の従来技術を用いる場合には、以下に示す問題を生じていた。すなわち、Ａ〜Ｄなる４台のテレビ受像機があるときでは、ＤＶＤプレイヤには、４台のテレビ受像機のそれぞれに対応するケーブルが導かれることになる。つまり、映像信号用に１本、音声信号用に２本の３本を組とするケーブルが４組、ＤＶＤプレイヤの裏側に引き込まれ、そのうちの１組のケーブルがＤＶＤプレイヤに接続される。従って、テレビ受像機がＤＶＤプレイヤから遠くに設置されているようなときでは、どのケーブルの組がどのテレビ受像機のものであるのかの判別が難しくなる。このため、Ｂなるテレビ受像機からのケーブルのつもりで、４組のうちの１組のケーブルをＤＶＤプレイヤに接続したときであっても、そのケーブルがＣなるテレビ受像機に接続されたケーブルとなるようなときがあり、再度、接続をやり直さなければならない、という問題があった。また、ケーブルの接続の切り換え時には、ＤＶＤプレイヤの裏側に手を回す必要があるため、ＤＶＤプレイヤを移動させなければならない、という問題もあって、ＤＶＤプレイヤの出力を切り換える作業は、多大な手間を要する作業となっていた。
【０００６】
第２の従来技術は、ネットワークを介して配信される複数のビデオソースを受信して、連続的に再生する装置となっている。このため、第１の従来技術において生じた問題、すなわち、コンポジット映像信号とアナログ音声信号との出力端子が１組しかないＤＶＤプレイヤの出力を、複数台のテレビ受像機のうちの１台から別の１台に切り換えて接続するときの手間を低減するという観点から見るときでは、適用することが困難な技術となっている。
【０００７】
第３の従来技術は、ケーブルテレビジョンシステム上で放送サービスを模擬するシステムと方法を提供することを目的とした技術となっており、物理層チャンネルを、動的にユーザに割り当てる技術となっている。このため、第１の従来技術において生じた問題、すなわち、コンポジット映像信号とアナログ音声信号との出力端子が１組しかないＤＶＤプレイヤの出力を、複数台のテレビ受像機のうちの１台から別の１台に切り換えて接続するときの手間を低減するという観点から見るときでは、適用することが困難な技術となっている。
【０００８】
本発明は、上記の問題点を解決するため創案されたものであり、その目的は、映像信号と音声信号とを出力する端子が１組しかないプレイヤを用いて、映像信号と音声信号とを複数のテレビ受像機のうちの１台に切り換えて出力するとき、複数のテレビ受像機との間におけるケーブルの接続を変更することなく、簡単な操作を行うのみで、ＤＶＤを再生した信号を所望のテレビ受像機に送出することのでき、且つ、信号を筐体外部に出力する端子の数の増加を防止することのでき、且つ、信号の出力に用いる出力端子群の指示を簡単化することのでき、且つ、指示の入力時におけるボタン操作を簡明なものとすることのできる映像音声システムを提供することにある。
【０００９】
また本発明の目的は、それぞれが独立した筐体を有し、ＤＶＤを再生してアナログ映像信号（以下では、映像信号と称する）とアナログ音声信号（以下では、音声信号と称する）とを出力するプレイヤと、映像信号と音声信号とが導かれ、複数の出力端子群のうちのひとつに、映像信号と音声信号とを出力する信号切換装置とを備えた構成において、信号切換装置は、プレイヤに入力されたユーザの指示に従って、映像信号と音声信号との出力に使用する出力端子群を切り換えることにより、映像信号と音声信号とを出力する端子が１組しかないプレイヤを用いて、映像信号と音声信号とを複数のテレビ受像機のうちの１台に切り換えて出力するとき、複数のテレビ受像機との間におけるケーブルの接続を変更することなく、簡単な操作を行うのみで、ＤＶＤを再生した信号を所望のテレビ受像機に送出することのできる映像音声システムを提供することにある。
【００１０】
また、上記目的に加え、映像音声再生装置から信号切換装置に対して出力され、出力端子群の切り換えを指示する信号の出力用の端子を、デジタル音声信号の出力に用いる端子と共用とすることにより、信号を筐体外部に出力する端子の数の増加を防止することのできる映像音声システムを提供することにある。
【００１１】
また、上記目的に加え、ユーザが出力端子群の指示を入力するときに用いる設定画面を表示することにより、信号の出力に用いる出力端子群の指示を簡単化することのできる映像音声システムを提供することにある。
【課題を解決するための手段】
【００１２】
上記の課題を解決するため、本発明に係る映像音声システムは、それぞれが独立した筐体を有する映像音声再生装置と信号切換装置とを備え、映像音声再生装置は、情報記録媒体に記録された映像音声情報を再生し、アナログ映像信号（以下では、映像信号と称する）とアナログ音声信号（以下では、音声信号と称する）とデジタル音声信号とを出力する再生手段と、映像信号を筐体の外部に出力する映像出力端子と、音声信号を筐体の外部に出力する音声出力端子と、デジタル音声信号を筐体の外部に出力するデジタル出力端子とを有し、信号切換装置は、映像信号が入力される映像入力端子と、音声信号が入力される音声入力端子と、複数の出力端子群と、信号切換手段とを有し、出力端子群のそれぞれは、映像信号を出力する映像出力端子と音声信号を出力する音声出力端子とを有し、信号切換手段は、映像入力端子に入力された映像信号と音声入力端子に入力された音声信号との出力に使用する出力端子群を切り換える映像音声システムに適用している。そして、映像音声再生装置は、映像信号と音声信号との出力に使用する出力端子群の指示がユーザから入力される端子群指示手段と、ユーザによって指示された出力端子群を示す端子群指示信号を生成する信号生成手段と、デジタル音声信号の信号経路に設けられ、デジタル出力端子に導かれるデジタル信号をデジタル音声信号と端子群指示信号とに切り換えるデジタル出力切換スイッチと、ユーザが出力端子群の指示を入力するときに用いる設定画面を表示装置に表示する表示手段とを備え、信号切換装置の使用を指示されたときには端子群指示信号をデジタル出力端子に導き、信号切換装置を使用しないことを指示されたときにはデジタル音声信号をデジタル出力端子に導き、設定画面においては、信号切換装置を使用する状態となるときには信号切換装置を使用することを指示するボタンと信号切換装置を使用しないことを指示するボタンとが表示されるとともに、複数の出力端子群のそれぞれに対応するボタンが選択肢として表示され、信号切換装置を使用しない状態となるときには信号切換装置を使用することを指示するボタンと信号切換装置を使用しないことを指示するボタンとが表示され、複数の出力端子群のそれぞれに対応するボタンは非表示となり、信号切換装置は、デジタル出力端子から送出されるデジタル信号が入力されるデジタル入力端子と、デジタル入力端子に入力された端子群指示信号に従って信号切換手段を制御することによって、端子群指示信号によって指示された出力端子群に、映像入力端子に入力された映像信号と音声入力端子に入力された音声信号とを導く出力制御手段を備えている。
【００１３】
すなわち、端子群指示手段を用いて、映像信号と音声信号との出力に使用する出力端子群を指示するのみで、複数の出力端子群のうち、指示した出力端子群から映像信号と音声信号とを出力することができる。また、端子群指示信号を筐体の外部に送出するための端子を追加して設ける必要がなくなる。また、設定画面において、出力端子群のそれぞれに対応するボタンを選択肢として表示するときでは、表示されたボタンのうちのひとつを操作するのみで、映像信号と音声信号との出力に使用する出力端子群を指定することができる。また、信号切換装置を使用するときにのみ、出力端子群を指示するための選択肢が表示され、信号切換装置を使用しないときでは、出力端子群を指示するための選択肢は表示されない。
【００１４】
また本発明に係る映像音声システムは、それぞれが独立した筐体を有する映像音声再生装置と信号切換装置とを備え、映像音声再生装置は、情報記録媒体に記録された映像音声情報を再生し、映像信号と音声信号とを出力する再生手段と、映像信号を筐体の外部に出力する映像出力端子と、音声信号を筐体の外部に出力する音声出力端子とを有し、信号切換装置は、映像信号が入力される映像入力端子と、音声信号が入力される音声入力端子と、複数の出力端子群と、信号切換手段とを有し、複数の出力端子群のそれぞれは、映像信号を出力する映像出力端子と音声信号を出力する音声出力端子とを有し、信号切換手段は、映像入力端子に入力された映像信号と音声入力端子に入力された音声信号との出力に使用する出力端子群を切り換える映像音声システムに適用している。そして、映像音声再生装置は、映像信号と音声信号との出力に使用する出力端子群の指示がユーザから入力される端子群指示手段と、ユーザによって指示された出力端子群を示す端子群指示信号を生成する信号生成手段とを備え、信号切換装置は、信号切換手段を制御することによって、端子群指示信号によって指示された出力端子群に、映像入力端子に入力された映像信号と音声入力端子に入力された音声信号とを導く出力制御手段を備えている。
【００１５】
すなわち、端子群指示手段を用いて、映像信号と音声信号との出力に使用する出力端子群を指示するのみで、複数の出力端子群のうち、指示した出力端子群から映像信号と音声信号とを出力することができる。
【００１６】
また、上記構成に加え、再生手段は、情報記録媒体に記録された映像音声情報を再生するときにはデジタル音声信号を出力し、映像音声再生装置は、デジタル音声信号を筐体の外部に出力するデジタル出力端子と、デジタル音声信号の信号経路に設けられ、デジタル出力端子に導かれるデジタル信号をデジタル音声信号と端子群指示信号とに切り換えるデジタル出力切換スイッチとを備え、信号切換装置の使用を指示されたときには端子群指示信号をデジタル出力端子に導き、信号切換装置を使用しないことを指示されたときにはデジタル音声信号をデジタル出力端子に導くようになっている。すなわち、端子群指示信号を筐体の外部に送出するための端子を追加して設ける必要がなくなる。
【００１７】
また、上記構成に加え、映像音声再生装置は、ユーザが出力端子群の指示を入力するときに用いる設定画面を表示装置に表示する表示手段を備えている。すなわち、設定画面において、出力端子群のそれぞれに対応するボタンを選択肢として表示するときでは、表示されたボタンのうちのひとつを操作するのみで、映像信号と音声信号との出力に使用する出力端子群を指定することができる。
【発明の効果】
【００１８】
本発明によれば、端子群指示手段を用いて、映像信号と音声信号との出力に使用する出力端子群を指示するのみで、複数の出力端子群のうち、指示した出力端子群から映像信号と音声信号とを出力することができる。また、端子群指示信号を筐体の外部に送出するための端子を追加して設ける必要がなくなる。また、設定画面において、出力端子群のそれぞれに対応するボタンを選択肢として表示するときでは、表示されたボタンのうちのひとつを操作するのみで、映像信号と音声信号との出力に使用する出力端子群を指定することができる。また、信号切換装置を使用するときにのみ、出力端子群を指示するための選択肢が表示され、信号切換装置を使用しないときでは、出力端子群を指示するための選択肢は表示されない。このため、映像信号と音声信号とを出力する端子が１組しかないプレイヤを用いて、映像信号と音声信号とを複数のテレビ受像機のうちの１台に切り換えて出力するとき、複数のテレビ受像機との間におけるケーブルの接続を変更することなく、簡単な操作を行うのみで、ＤＶＤを再生した信号を所望のテレビ受像機に送出することができ、且つ、信号を筐体外部に出力する端子の数の増加を防止することができ、且つ、信号の出力に使用する出力端子群の指示を簡単化することができ、且つ、指示の入力時におけるボタン操作を簡明なものとすることができる。
【００１９】
また本発明によれば、端子群指示手段を用いて、映像信号と音声信号との出力に使用する出力端子群を指示するのみで、複数の出力端子群のうち、指示した出力端子群から映像信号と音声信号とを出力することができる。このため、映像信号と音声信号とを出力する端子が１組しかないプレイヤを用いて、映像信号と音声信号とを複数のテレビ受像機のうちの１台に切り換えて出力するとき、複数のテレビ受像機との間におけるケーブルの接続を変更することなく、簡単な操作を行うのみで、ＤＶＤを再生した信号を所望のテレビ受像機に送出することができる。
【００２０】
また、さらに、端子群指示信号を筐体の外部に送出するための端子を増設する必要がなくなるので、信号を筐体外部に出力する端子の数の増加を防止することができる。
【００２１】
また、さらに、設定画面において、出力端子群のそれぞれに対応するボタンを選択肢として表示するときでは、表示されたボタンのうちのひとつを操作するのみで、映像信号と音声信号との出力に使用する出力端子群を指定することができるので、信号の出力に使用する出力端子群の指示を簡明化することができる。
【発明を実施するための最良の形態】
【００２２】
以下、本発明の実施の形態について図を参照して説明する。
【００２３】
図１は、本発明に係る映像音声システムの一実施形態の電気的構成を示すブロック線図、図２は、実施形態の概略を示す説明図である。
【００２４】
本実施形態は、大別すると、請求項記載の映像音声再生装置であるＤＶＤプレイヤ１と、信号切換装置２とを備えている。また、ＤＶＤプレイヤ１は筐体１０１は備えており、信号切換装置２は筐体２０１を備えている。すなわち、ＤＶＤプレイヤ１と信号切換装置２とは、それぞれが独立した筐体を備えている。
【００２５】
信号切換装置２は、出力制御手段２１、信号切換手段２２、映像入力端子Ｔ２１、音声入力端子Ｔ２２，Ｔ２３、デジタル入力端子Ｔ２４、および、４つの出力端子群Ｇ１〜Ｇ４を備えている。そして、映像入力端子Ｔ２１にはアナログ映像信号（以下では、映像信号と称する）Ｖｉｄが入力され、入力された映像信号Ｖｉｄは信号切換スイッチＳ１に導かれている。
【００２６】
また、音声入力端子Ｔ２２には、右チャンネルのアナログ音声信号（以下では、音声信号と称する）ＡｕＲが入力され、入力された音声信号ＡｕＲは信号切換スイッチＳ２に導かれている。また、音声入力端子Ｔ２３には、左チャンネルの音声信号ＡｕＬが入力され、入力された音声信号ＡｕＬは信号切換スイッチＳ３に導かれている。
【００２７】
デジタル入力端子Ｔ２４にはデジタル信号ＤＧが入力され、入力されたデジタル信号ＤＧは出力制御手段２１に導かれている。また、出力端子群Ｇ１〜Ｇ４のそれぞれは、映像信号を出力する映像出力端子と、左右のそれぞれの音声信号を出力する音声出力端子との３つの出力端子を備えている。
【００２８】
信号切換手段２２は、映像入力端子Ｔ２１に入力された映像信号Ｖｉｄと音声入力端子Ｔ２２，Ｔ２３に入力された音声信号ＡｕＬ，ＡｕＲとの出力に使用する出力端子群Ｇ１〜Ｇ４を切り換える。すなわち、４つの出力端子群Ｇ１〜Ｇ４のうち、出力制御手段２１から指示された出力端子群を用いて、映像信号Ｖｉｄと音声信号ＡｕＬ，ＡｕＲとを筐体２０１の外部に出力する。このため、映像信号Ｖｉｄを出力する出力端子群Ｇ１〜Ｇ４を切り換える信号切換スイッチＳ１、音声信号ＡｕＬ，ＡｕＲを出力する出力端子群Ｇ１〜Ｇ４を切り換える信号切換スイッチＳ２，Ｓ３を備えている。
【００２９】
なお、映像入力端子Ｔ２１に入力される映像信号は７５Ωのコンポジット信号となっている。また、出力端子群Ｇ１〜Ｇ４から出力される映像信号も、同様に７５Ωのコンポジット信号となる。このため、以下に示す構成とすることが望ましい。
【００３０】
すなわち、映像入力端子Ｔ２１から信号切換スイッチＳ１までの経路に、映像信号Ｖｉｄを７５Ωとして受け取る入力回路を設ける。また、信号切換スイッチＳ１から出力端子群Ｇ１〜Ｇ４のそれぞれまでの経路に、出力端子群Ｇ１〜Ｇ４のそれぞれから出力される映像信号の出力インピーダンスを７５Ωとするためのインピーダンス整合回路を設ける（信号切換スイッチＳ１にはアナログスイッチを使用する）。
【００３１】
あるいは、信号切換スイッチＳ１を、機械的接点を有するリレーを４つ用いた構成（指示された出力端子群Ｇ１〜Ｇ４に対応するリレーの接点のみを閉じる）とすることによって、映像入力端子Ｔ２１に入力された７５Ωのコンポジット信号を、７５Ωのコンポジット信号として、出力端子群Ｇ１〜Ｇ４から出力する構成とする。
【００３２】
出力制御手段２１は、マイクロコンピュータを主要部として構成されており、信号切換手段２２を制御することによって、４つの出力端子群Ｇ１〜Ｇ４のうち、端子群指示信号Ｃｏｎによって指示された出力端子群に、映像入力端子Ｔ２１に入力された映像信号Ｖｉｄと、音声入力端子Ｔ２２，Ｔ２３に入力された音声信号ＡｕＬ，ＡｕＲとを導く制御を行う。
【００３３】
ＤＶＤプレイヤ１は、再生手段１１、マイクロコンピュータ（以下では、マイコンと称する）１２、入力回路部１３、デジタル出力切換スイッチ１４、ドライバ１５、映像出力端子Ｔ１１、音声出力端子Ｔ１２，Ｔ１３、デジタル出力端子Ｔ１４、および、Ｓ映像端子Ｔ１５を備えている。
【００３４】
再生手段１１は、ＤＶＤ（情報記録媒体）３に記録された映像音声情報を再生し、映像信号（コンポジット映像信号）Ｖｉｄと、左右２チャンネルの音声信号ＡｕＬ，ＡｕＲと、デジタル音声信号ＤＡｕとを出力する。また、Ｓ映像信号を出力する。また、図示されないコンポーネント出力端子に出力するコンポーネント映像信号や、図示されないＤ端子に出力するＤ端子用の映像信号も出力するが、これらの信号は図示が省略されている。
【００３５】
入力回路部１３は、筐体の前面パネルに設けられた電源キー等のキースイッチ、リモートコントローラ（以下では、リモコンと称する）４から送信される赤外線信号を受光する受光ユニット等を備えており、ユーザからの指示が入力されると、入力された指示をマイコン１２に送出する。なお、請求項記載の端子群指示手段１６は、リモコン４と入力回路部１３とによって構成される。
【００３６】
端子群指示手段１６は、４つの出力端子群Ｇ１〜Ｇ４のうち、映像信号Ｖｉｄと音声信号ＡｕＬ，ＡｕＲとの出力に使用する出力端子群の指示がユーザから入力される。デジタル出力切換スイッチ１４は、マイコン１２からの指示に従い、再生手段１１から送出されるデジタル音声信号ＤＡｕと、マイコン１２から出力される端子群指示信号Ｃｏｎとを切り換えて、ドライバ１５に送出する。ドライバ１５は、デジタル出力切換スイッチ１４から出力される信号を、低インピーダンスの信号に変換した後、デジタル出力端子Ｔ１４に送出する。
【００３７】
映像出力端子Ｔ１１は、再生手段１１から出力される映像信号Ｖｉｄを筐体１０１の外部に出力する。音声出力端子Ｔ１２は、再生手段１１から送出される右チャンネルの音声信号ＡｕＲを筐体１０１の外部に送出する。音声出力端子Ｔ１３は、再生手段１１から送出される左チャンネルの音声信号ＡｕＬを筐体１０１の外部に送出する。また、Ｓ映像信号端子Ｔ１５はＳ映像信号を筐体１０１の外部に出力する。
【００３８】
マイコン１２は、ＤＶＤプレイヤとしての主要動作を制御する。すなわち、リモコン４等に再生の指示が入力されたときには、再生手段１１の動作を制御することによって、ＤＶＤ３に記録された映像音声情報を再生し、映像出力端子Ｔ１１に映像信号Ｖｉｄを出力し、音声出力端子Ｔ１２，Ｔ１３に音声信号ＡｕＬ，ＡｕＲを出力する。
【００３９】
また、マイコン１２は、信号切換装置２の制御を行う。このため、その機能の一部により、信号生成手段１８と表示手段１９とを構成する。
【００４０】
信号生成手段１８は、４つの出力端子群Ｇ１〜Ｇ４のうち、端子群指示手段１６を用いてユーザが指示した出力端子群を示す端子群指示信号Ｃｏｎを生成し、デジタル出力切換スイッチ１４に出力する。なお、デジタル出力切換スイッチ１４は、ユーザから信号切換装置２の使用を指示されたときには端子群指示信号Ｃｏｎをドライバ１５に導き、信号切換装置２を使用しないことを指示されたときには、デジタル音声信号ＤＡｕをドライバ１５に導くように、その接続が制御される。
【００４１】
表示手段１９は、ユーザが出力端子群の指示を入力するときに用いる設定画面をテレビ受像機（請求項記載の表示装置であり、３１〜３４のうちのひとつ）に表示する。
【００４２】
なお、表示手段１９によって表示される設定画面においては、図３（Ａ）に示したように、信号切換装置２の使用を指示するボタン４３と、信号切換装置２を使用しないことを指示するボタン４２とが表示される。そして、リモコン４を用いることによって、信号切換装置２の使用を指示するボタン４３を選択し、決定キーを押下すると、同図（Ｂ）に示したように、出力端子群Ｇ１〜Ｇ４のそれぞれに対応するボタン５１〜５４が、選択肢として、追加して表示される。そして、同図（Ｂ）に示す表示状態において、信号切換装置２を使用しないことを指示するボタン４２を選択し、決定キーを押下すると、同図（Ａ）に示したように、出力端子群Ｇ１〜Ｇ４に対応するボタン５１〜５４は非表示となる。
【００４３】
図４、図５は、実施形態であるＤＶＤプレイヤ１の主要動作を示すフローチャート、図６は信号切換装置２の主要動作を示すフローチャートである。必要に応じて同図を参照しつつ、実施形態の動作を説明する。
【００４４】
まず、映像出力端子Ｔ１１と映像入力端子Ｔ２１、音声出力端子Ｔ１２，Ｔ１３と音声入力端子Ｔ２２，Ｔ２３、デジタル出力端子Ｔ１４とデジタル入力端子Ｔ２４とのそれぞれをケーブルで接続する。また、出力端子群Ｇ１〜Ｇ４のそれぞれとテレビ受像機３１〜３４のそれぞれとをケーブルで接続する（テレビ受像機については、３台、あるいは、２台でもよい）。
【００４５】
上記した接続を行った後、リモコン４等を用いてＤＶＤプレイヤ１の電源をオン状態にする（ステップＳ１）と、信号生成手段１８は、信号切換装置２を使用するように設定されているかどうかを調べる。すなわち、前回の電源オフ時の状態が、図３に示すボタン４３が操作された状態にあるかどうかを調べる（ステップＳ２）。信号切換装置２を使用するように設定されているときでは、端子群指示信号Ｃｏｎがデジタル出力端子Ｔ１４に送出されるように、デジタル出力切換スイッチ１４の接続状態を設定する（ステップＳ３，Ｓ４）。
【００４６】
そして、以後では、信号切換装置２の設定の指示が入力されたかどうか、電源オフの指示が入力されたかどうか、その他の指示が入力されたかどうかを調べるループ動作に移行する（ステップＳ５〜Ｓ７）。一方、信号切換装置２を使用しないように設定された状態にあるとき（前回の電源オフ時の状態が、図３のボタン４２が操作された状態にあるとき）では、デジタル音声信号ＤＡｕがデジタル出力端子Ｔ１４に送出されるように、デジタル出力切換スイッチ１４の状態を設定する（ステップＳ３，Ｓ９）。そして後、ステップＳ５〜Ｓ７のループ動作に移行する。
【００４７】
ループ動作において、電源オフの指示が入力されたときには、電源オフ状態に移行する（ステップＳ６，Ｓ１０）。また、その他の指示（信号切換装置２の設定や電源オフの指示とは異なる動作の指示）が入力されたときには、指示された動作を実行した後（ステップＳ８）、ステップＳ５〜Ｓ７のループ動作に移行する。一方、信号切換装置２の設定の指示が入力されたとき（メニュー画面から、信号切換装置２の設定が選択されたとき）には、動作は、ステップＳ５からステップＳ１１に移行する。
【００４８】
ステップＳ１１に移行したときには、信号切換装置２を使用するように設定されているかどうかを調べる。そして、使用するように設定されていたときでは、図３（Ｂ）に示す画面、すなわち、信号切換装置２を使用するかどうかを指示するのためのボタン４２，４３と、出力端子群Ｇ１〜Ｇ４に対応する４つのボタン５１〜５４とを画面に表示する。なお、この画面は、映像信号と音声信号とを出力するように設定された出力端子群に接続されたテレビ受像機に表示される（ステップＳ１２，Ｓ１３）。
【００４９】
そして後、信号切換装置２を使用しないことを指示するボタン４２が操作されたかどうか、映像信号と音声信号とを出力する出力端子群Ｇ１〜Ｇ４を変更するために、ボタン５１〜５４のうちのひとつが操作されたかどうか、設定の終了が指示されたかどうかを調べるループ動作に移行する（ステップＳ１４〜Ｓ１６）。
【００５０】
上記したループ動作において、ボタン４２が操作された（ボタン４２を選択状態とした後、決定キーを操作した）とき（信号切換装置２を使用しないことを指示したとき）には、信号切換装置２の使用の停止であるとして、動作は、ステップＳ１４からステップＳ９に移行する。このため、設定画面の表示を停止して、設定モードを終了する。また、デジタル音声信号ＤＡｕがデジタル出力端子Ｔ１４に送出されるように、デジタル出力切換スイッチ１４の接続状態を設定する。
【００５１】
一方、ボタン５１〜５４のうちのひとつを選択状態とした後、決定キーを操作したときでは、映像信号と音声信号とを出力する出力端子群Ｇ１〜Ｇ４の指示であるとして、動作は、ステップＳ１５からステップＳ２８に移行する。すなわち、設定画面の表示を停止して、設定モードを終了する。次いで、操作されたボタン（５１〜５４のうちのひとつ）に対応する出力端子群（Ｇ１〜Ｇ４のうちのひとつ）を指示する端子群指示信号Ｃｏｎをデジタル出力切換スイッチ１４に出力する。この端子群指示信号Ｃｏｎは、デジタル出力切換スイッチ１４、デジタル出力端子Ｔ１４、デジタル入力端子Ｔ２４を介して、出力制御手段２１に与えられる。
【００５２】
一方、出力制御手段２１の側では、端子群指示信号Ｃｏｎがデジタル入力端子Ｔ２４に入力されるかどうかを調べるループ動作を行っている（ステップＳ３１）。このため、端子群指示信号Ｃｏｎがデジタル入力端子Ｔ２４に入力されたときでは、動作は、ステップＳ３１からステップＳ３２に移行し、端子群指示信号Ｃｏｎによって指示された出力端子群Ｇ１〜Ｇ４から映像信号と音声信号とが出力されるように、信号切換手段２２の信号切換スイッチＳ１〜Ｓ３の接続状態を設定する。そして後、次の端子群指示信号Ｃｏｎがデジタル入力端子Ｔ２４に入力されるかどうかを調べるループ動作に移行する（ステップＳ３１）。
【００５３】
なお、信号切換装置２を使用しない状態となっているときに、信号切換装置２の設定の指示が入力された場合、動作は、ステップＳ５からステップＳ１１，Ｓ１２、ステップＳ２１と移行する。このため、表示対象となっているテレビ受像機には、図３（Ａ）に示す画面、すなわち、信号切換装置２を使用しないことを指示するためのボタン４２と、使用することを指示するためのボタン４３とのみからなる画面が表示され、出力端子群Ｇ１〜Ｇ４を指示するためのボタン５１〜５４は非表示となる。そして、信号切換装置２を使用することを指示するボタン４３が操作されたかどうか、設定モードの終了かどうかを調べるループ動作に移行する（ステップＳ２２，Ｓ２３）。
【００５４】
ボタン４３が操作されて、信号切換装置２を使用することを指示された場合、動作は、ステップＳ２２からステップＳ１３に移行し、出力端子群Ｇ１〜Ｇ４の指示を可能にするため、ボタン５１〜５４が追加して表示される。そして後、ステップＳ１４〜Ｓ１６のループ動作に移行する。以下、同様の動作となる。また、設定の終了を指示したときでは、設定画面の表示が停止され、ステップＳ５〜Ｓ７からなるループ動作に移行する。
【００５５】
なお、本発明は上記実施形態に限定されず、映像音声再生装置については、ＤＶＤプレイヤ１とした場合について説明したが、ＤＶＤとは異なる情報記録媒体を再生してアナログ映像信号とアナログ音声信号とを出力する装置（例えば、ビデオカセットレコーダ等）、あるいは、記録機能を併せ持つ装置（ＤＶＤレコーダ、ＨＤＤレコーダ、ＨＤＤ一体型ＤＶＤレコーダ、等）の場合にも、同様に適用することができる。
【００５６】
また、信号切換装置２に導く映像信号については、コンポジット映像信号とした場合について説明したが、Ｓ映像信号とすることもできる（このときでは、テレビ受像機３１〜３４のそれぞれにはＳ映像信号が導かれることになる）。
【図面の簡単な説明】
【００５７】
【図１】本発明に係る映像音声システムの一実施形態であり、映像音声再生装置をＤＶＤプレイヤとした場合の電気的構成を示すブロック線図である。
【図２】本発明に係る映像音声システムの外観の概略を示す説明図である。
【図３】信号切換装置の設定時の画面を示す説明図である。
【図４】実施形態であるＤＶＤプレイヤの主要動作を示すフローチャートである。
【図５】実施形態であるＤＶＤプレイヤの主要動作を示すフローチャートである。
【図６】信号切換装置の主要動作を示すフローチャートである。
【符号の説明】
【００５８】
１  ＤＶＤプレイヤ（映像音声再生装置）
２  信号切換装置
３  ＤＶＤ（情報記録媒体）
１１  再生手段
１４  デジタル出力切換スイッチ
１６  端子群指示手段
１８  信号生成手段
１９  表示手段
２１  出力制御手段
２２  信号切換手段
３１〜３４  テレビ受像機（表示装置）
１０１，２０１  筐体
ＡｕＬ，ＡｕＲ  アナログ音声信号
Ｃｏｎ  端子群指示信号
ＤＡｕ  デジタル音声信号
ＤＧ  デジタル信号
Ｇ１〜Ｇ４  出力端子群
Ｓ１〜Ｓ３  信号切換スイッチ
Ｔ１１  映像出力端子
Ｔ１２，Ｔ１３  音声出力端子
Ｔ１４  デジタル出力端子
Ｔ１５  Ｓ映像端子
Ｔ２１  映像入力端子
Ｔ２２，Ｔ２３  音声入力端子
Ｔ２４  デジタル入力端子
Ｖｉｄ  アナログ映像信号
【図１】
2006338709.tif 000003
【図２】
2006338709.tif 000004
【図３】
2006338709.tif 000005
【図４】
2006338709.tif 000006
【図５】
2006338709.tif 000007
【図６】
2006338709.tif 000008